(57)【特許請求の範囲】
【請求項１】
身体支持面に開放し、かつ、両腕を胴部から離反させるとともに両脚を離反させて仰向け状態に身体を横たえた際に身体を略陥没させる深さの体型状凹部を形成したマット部からなる身体支持体と、前記体型状凹部の側壁部に配設されエアーの給排気により膨縮する複数の側面エアーバッグと、前記体型状凹部に横たえられる身体の足が位置する側の前記身体支持部の端縁部に形成された空間部に収納され、前記側面エアーバッグにエアーの給排気をするエアー給排気装置と、前記側面エアーバッグにエアーの給排気をするように前記エアー給排気装置を制御する制御手段とを備えたことを特徴とするエアーマッサージ機。
【請求項２】
請求項１記載の発明において、前記複数の側面エアーバッグの夫々を、前記体型状凹部に横たえられる身体の各部をその両側から膨張して挟むように前記体型状凹部の側壁部に配設するとともに、前記身体支持体の体型状凹部の底部にエアーの給排気により膨縮して身体をマッサージする複数の背面エアーバッグを前記体型状凹部と交差して設け、制御手段の制御により、複数の側面エアーバッグにエアーを供給し膨脹させるとともにこの膨張を維持した状態において前記背面エアーバッグにエアーを供給することを特徴とするエアーマッサージ機。
【請求項３】
請求項１または請求項２記載の発明において、体型状凹部内に略充満される挿脱可能な埋め込みパッドを設け、この埋め込みパッドを挿入することにより身体支持体に身体支持面を略平坦面とすることを特徴とするエアーマッサージ機。
【発明の詳細な説明】
【０００１】
【発明の属する技術分野】
この発明は、例えば、マットあるいは布団等に配設された複数のエアーバッグにエアー給排気装置からエアーを給排気して膨縮させて被施療部のマッサージをするエアーマッサージ機に関する。
【０００２】
【従来の技術】
従来のマットあるいは布団に配設された複数のエアーバッグにエアー給排気装置によりエアーを給排気して膨縮させて被施療部のマッサージをするエアーマッサージ機（以下マット式マッサージ機という）は、図６に示すようにマット部１０１と、エアー給排気装置１２０とから構成されている。そして、前記マット部１０１の上面側つまり使用者がマッサージをする際に身体を横たえた際に身体を支持する側の面（以下身体支持面という）に、その長手方向に沿って配列して配設された複数のエアーバッグ１１１ないし１１８を配設し、また、前記マット部１０１の側面にはコネクター１０２を設け、このコネクター１０２と前記エアーバッグ１１１ないし１１８のそれぞれはエアーホース１１１ａないし１１８ａによって接続されている。
【０００３】
また、前記エアー給排気装置１２０は、図示しないが内部に電磁式ポンプ等からなるエアー生成手段、このエアー生成手段で生成されたエアーを前記各エアーバッグ１１１ないし１１８にエアーを給排気するロータリー弁からなるエアー分配器、前記エアー生成手段とエアー分配器を制御する制御手段等が設けられており、また前記エアー給排気装置１２０の側壁には前記エアー分配器の各分配口に対応した複数の給排気口が設けられた接続口１２１が設けられている。
【０００４】
そして、この接続口１２１と前記マット部１０１に設けられたコネクター１０２とは、各エアーバッグに対応する複数のエアーホースからなる接続ホース１２５によって接続するようになっている。
【０００５】
そして、マッサージをしようとする使用者が、マット部１０１に身体を横たえて、エアー給排気装置１２０に設けられた操作パネル１２２から所望のマッサージモードを設定すると、前記図示しない制御手段は前記エアー生成手段およびエアー分配器を制御して、前記設定されたマッサージモードによって定められた順序にしたがって前記各エアーバッグ１１１ないし１１８にエアーを給排気して膨縮させる。この膨縮によって被施療部は押圧・弛緩されてマッサージがなされるものである。
【０００６】
ところで、上記従来のマット式マッサージ機によるマッサージは、身体支持面に仰向けに身体を横たえた状態とし、この状態で各エアーバッグ１１１ないし１１８に前記エアー給排気装置からエアーの給排気を繰り返し膨縮させ、被施療部を押圧．弛緩することによりなすようになっている。
【０００７】
そして、膨脹するエアーバッグによって被施療部に加えられる押圧力の大きさは、使用者の体重に抗してエアーバッグが膨脹することによって生じるものであり、体重がかるい場合は押圧力つまりマッサージ力は弱く、使用者にとっては必ずしも満足できるものではない。また、マッサージは身体支持面と対向する側つまり上方に押し上げる方向の押圧のみに限定されるものであり、この点からも使用者にとっては必ずしも満足できるものではなかった。
【０００８】
【発明が解決しようとする課題】
上記のように、従来のマット式マッサージ機においては、膨脹するエアーバッグによって被施療部に加えられる押圧力が弱く、また、マッサージは身体支持面と対向する側からの押圧のみに限定されるものであることから使用者にとっては必ずしも満足できるものではないという問題がある。
【０００９】
【課題を解決するための手段】
この発明は上記事情に鑑みなされたものであり、請求項１記載の発明は、身体支持面に開放し、かつ、両腕を胴部から離反させるとともに両脚を離反させて仰向け状態に身体を横たえた際に身体を略陥没させる深さの体型状凹部を形成したマット部からなる身体支持体と、前記体型状凹部の側壁部に配設されエアーの給排気により膨縮する複数の側面エアーバッグと、前記体型状凹部に横たえられる身体の足が位置する側の前記身体支持部の端縁部に形成された空間部に収納され、前記側面エアーバッグにエアーの給排気をするエアー給排気装置と、前記側面エアーバッグにエアーの給排気をするように前記エアー給排気装置を制御する制御手段とを備えたエアーマッサージ機としたものである。
【００１０】
このように請求項１記載の発明は、身体支持体の身体支持側に両腕を胴部から離反させるとともに両脚を離反させて仰向け状態に身体を横たえた際に身体を略陥没させる深さの体型状凹部を形成し、この体型状凹部の側壁部に側面エアーバッグを配設し、これら側面エアーバッグにエアーの給排気をして膨縮させて被施療部のマッサージをするようにしたことから、身体を側面から押圧するという作用を有するものであり、したがって、効果的なマッサージができるものである。
【００１１】
また、請求項２記載の発明は、請求項１記載の発明において、前記複数の側面エアーバッグの夫々を、前記体型状凹部に横たえられる身体の各部をその両側から膨張して挟むように前記体型状凹部の側壁部に配設するとともに、前記身体支持体の体型状凹部の底部にエアーの給排気により膨縮して身体をマッサージする複数の背面エアーバッグを前記体型状凹部と交差して設け、制御手段の制御により、複数の側面エアーバッグにエアーを供給し膨脹させるとともにこの膨張を維持した状態において前記背面エアーバッグにエアーを供給するエアーマッサージ機としたものである。
【００１２】
この請求項２記載の発明は、請求項１記載の発明の作用に加えて、側面エアーバッグにより身体の側面を押圧して上方への移動を押さえた状態で背面エアーバッグによって身体を押圧することから下方からの押圧力を高めることができるという作用を有するものである。
【００１３】
また、請求項３記載の発明は、請求項１または請求項２記載の発明において、体型状凹部内に略充満される挿脱可能な埋め込みパッドを設け、この埋め込みパッドを挿入することにより身体支持体に身体支持面を略平坦面としたエアーマッサージ機としたものである。
【００１４】
この請求項３記載の発明は、請求項１または請求項２記載の発明の作用に加えて、体型状凹部内に埋め込みパッドを挿入した状態では身体支持面を略平坦面とすることができるとともに、背面エアーバッグを膨脹させることにより背面側のみのマッサージをすることができ、また、マッサージ機として使用しない場合は通常のマットとして機能させることができるという作用を有するものである。
【００１５】
【発明の実施の形態】
つぎに、この発明の実施の形態を図１ないし図６に基づいて説明する。
【００１６】
図１において符号Ａはマット式マッサージ機であり、このマット式マッサージ機Ａは、身体支持体としてのマット部１、このマット部１内に埋設して配置されたエアー給排気装置２０、前記マット部１の内部に配設され身体を支持する面方向に膨縮する複数の背面エアーバッグ１９としての首用エアーバッグ１１ないし脚用エアーバッグ１８および複数の側面エアーバッグ４０としての複数のエアーバッグ４１ないし４４等から構成されている。
【００１７】
そして、前記マット部１は、例えば通気性を有する発泡ウレタンフォーム等からなる軟質部材によって構成され上面からの投影が長方形状でかつ肉厚に形成されたマット部材２と、このマット部材２の外周面を覆った布等からなるカバー３とから構成されている。
【００１８】
そして、前記マット部材２の身体を支持する身体支持面（図１において上側面）には、図１に示すように両腕を胴部から離反させるとともに両脚を離反させて仰向け状態に身体を横たえた際に身体を略陥没させる深さの体型状凹部５０が形成されている。
【００１９】
また、前記マット部材２は、図４に示すように前記マット部２を厚み方向に二分割して平板状の上側マット部２ａと下側マット部２ｂとで構成され、上側マット部２ａの厚みは略身体の前後方向の厚みに設定されるとともに、この上側マット部２ａには前記体型状の貫通孔が形成されている。また、下側マット部２ｂには前記背面エアーバッグ４０つまり首用エアーバッグ１１ないし脚用エアーバッグ１８を配置する領域を僅かに窪ませて凹部２ｃが形成されている。
【００２０】
なお、この凹部２ｃの底壁２ｄは前記体型状凹部５０の底部５１を構成するものである。
【００２１】
また、前記上側マット部２ａと下側マット部２ｂには、前記脚用エアーバッグ１８が配置されている側の端縁部の角部つまり使用者がマット部１の身体支持面に身体を横たえた際に足が位置する側の角部に、後に詳述するエアー給排気装置２０を収納する空間部Ｓ（図２、図３参照）を形成する凹部を形成するためにくり抜かれている。
【００２２】
そして、前記上側マット部２ａと下側マット部２ｂとを接着剤等により結合することにより身体を陥没させる前記体型状凹部５０が形成されるものである。
【００２３】
また、図１、図４（図４では一部のみ図示）に示すように、前記背面エアーバッグ４０としての首部をマッサージする首用エアーバッグ１１、肩部をマッサージする肩用エアーバッグ１２、背中部をマッサージする背中用エアーバッグ１３および１４、腰部をマッサージする腰用エアーバッグ１５、尻部をマッサージする尻用エアーバッグ１６、腿部をマッサージする腿用エアーバッグ１７および脚部（ふくらはぎ部）をマッサージする脚用エアーバッグ１８が長手方向に沿って配設されている。
【００２４】
これら首用エアーバッグ１１ないし脚用エアーバッグ１８の配置は、前記下側マット部２ｂに形成した前記凹部２ｃの底壁２ｄに首用エアーバッグ１１ないし脚用エアーバッグ１８を配置した後、下側マット部２ｂに前記上側マット部２ａを載置し、上述したように両マット部を接着剤等により結合することによりなされるものである。
【００２５】
そして、このマット部１内に前記首用エアーバッグ１１ないし脚用エアーバッグ１８が配設された状態では、これら首用エアーバッグ１１ないし脚用エアーバッグ１８は、体型状凹部５０の底部５１に対応する部分以外はマット部材２の上側マット部２ａによって覆われている。
【００２６】
なお、前記首用エアーバッグ１１ないし脚用エアーバッグ１８の上側マット部２ａによって覆われている部分は、上側マット部２ａが軟質部材によって構成されていることから、これら首用エアーバッグ１１ないし脚用エアーバッグ１８が膨脹した際には、この膨脹によって上側マット部２ａを介して身体つまり被施療部は押圧されるようになっている。
【００２７】
また、前記体型状凹部５０の側壁面５２には前記側面エアーバッグ４０が配設されており、この側面エアーバッグ４０は、図１に示すように、肩部に対応して配設された左右それぞれ２個計４個の肩側面エアーバッグ４１、それぞれの腕部の側面に対応して配設されたそれぞれ６個計１２個の腕側面エアーバッグ４２、胴側面に対応して配設された６個の胴側面エアーバッグ４３、両太腿部近傍から足首部近傍までの部分（以下下肢部という）に対応して配設されたそれぞれ６個計１２個の下肢側面エアーバッグ４４とから構成されている。
【００２８】
これら肩側面エアーバッグ４１ないし下肢側面エアーバッグ４４は、体型状凹部５０の側壁面に沿って配設される。また、前記体型状凹部５０の底部５１および側面部５２に配設された背面エアーバッグ１９および側面エアーバッグ４０は前記カバー３によって覆われている。なお、前記カバー３は体型状凹部５０に合せて形成されているものである。
【００２９】
また、上述したように前記マット部１の前記脚用エアーバッグ１８が配置されている側の端縁部の角部には、上側マット部２ａと下側マット部２ｂとをくり抜いた部分に図１に示すように、前記エアー給排気装置２０がマット部材２に埋設して配置されている。
【００３０】
そして、エアー給排気装置２０がマット部材２内に埋設された状態では、図２および図３に示すようにエアー給排気装置２０の上面は上側マット部２ａによって覆われているため、前記所定の肉厚とは、使用者等がエアー給排気装置２０の上部に乗った時にマット部材２の緩衝作用によって足の裏等の痛み等を感じることがないようになっている。
【００３１】
また、エアー給排気装置２０がマット部材２内に埋設された状態では、図２および図３に示すように前記エアー給排気装置２０の下面は、エアー給排気装置２０の動作時にエアー給排気装置２０から発生する振動を吸収して床面等に伝達されないように下側マット部２ｂによって覆われている。
【００３２】
なお、前記マット部材２は除塵フィルターとしても機能することから、エアー給排気装置２０の塵埃に起因する動作不良の発生を防止できるものである。
【００３３】
また、前記エアー給排気装置２０は、マット部材２の空間部Ｓに収納する際には、図示しないねじによって支持板２３に取り付けるとともに通気性のあるカバー２４で覆った状態として収納するようになっている。また、前記カバー２４は支持板２３にねじ２５によって取り付けられるものである。
【００３４】
そして、上記のようにエアー給排気装置２０はマット部材２に形成した空間部Ｓに収納して配置されているとともに、カバー３、マット部材２、ポンプカバー２４はそれぞれ通気性を有するものであることから、エアー給排気装置２０が駆動した際における給排気には支障がないものである。
【００３５】
また、前記マット部１の側面には、図２に示すように雌プラグ４が設けられており、この雌プラグ４の一対の端子４ａ（図２では一方のみ図示）にはリード線４ｂの一端が接続されこのリード線４ｂの他端は前記エアー給排気装置２０の駆動部つまりエアーコンプレッサーに接続されている。
【００３６】
また、前記マット部１の首用エアーバッグ１１が配設されている側の角部には、図１に示すように一端側を回動可能なヒンジによって取り付けた蓋６ａによって開閉される方形状の収納凹部６が形成されている。この収納凹部６には操作部であるリモートコントロール装置（以下リモコン装置という）７が取り出し可能にして収納されている。このリモコン装置７には図示しないコードが接続されている。リモコン装置７は、上記のように前記収納凹部６から取り出しての使用つまり各種マッサージモードを設定することも、また、収納した状態のままでも使用できるものである。
【００３７】
したがって、リモコン装置７を取り出して使用する場合は、使用者はマット部１に身体を横たえた状態で所望のマッサージモードを設定できるものである。勿論収納凹部６は首部側に設けてあることから、収納凹部６に収納したままでも操作できるものであり、同一マッサージモードのまま使用する場合等は予め設定すれば、設定し直すことを要しないことからこのような場合は収納凹部６に収納したまま使用することの方が便利である。
【００３８】
なお、前記リモコン装置７は、図示しない信号線を介して図５に示すように後述する制御手段３３に信号を送るようになっている。
【００３９】
つぎに、前記体型状凹部５０に挿脱可能な埋め込みパッド５３について説明する。
【００４０】
この埋め込みパッド５３は、マット部材２と同じ様通気性を有する発泡ウレタンフォーム等からなる軟質部材からなり、図６に示すように前記体型状凹部５０内に挿入したときは体型状凹部５０を略充満する体積となるように形成されたパッド本体５３ａと、このパッド本体５３ａを覆うカバー５３ｂとから構成されている。なお、パッド本体５３ａには、図４に二点鎖線で示すように体型状凹部５０への挿入を容易にするために傾斜面とした案内面５３ｃが形成されている。
【００４１】
このように埋め込みパッド５３は体型状凹部５０を略充満する体積に形成されていることから、埋め込みパッド５３を体型状凹部５０に挿入したときは、この埋め込みパッド５３の上面はマット部１の上面と略面一となるように、つまり身体支持面となるように形成されているものである。
【００４２】
したがって、埋め込みパッド５３を体型状凹部５０に挿入したときはマット部１の上面は全面に亘って面一となっていることから、通常のマットとして使用できる。また、埋め込みパッド５３はマット部材２と同じ軟質部材によって構成されていることから、埋め込みパッド５３を体型状凹部５０に挿入した状態で、前記首用エアーバッグ１１ないし脚用エアーバッグ１８にエアーを給排気して膨縮させた際は、埋め込みパッド５３を介して被施療部を押圧できるようになっている。つまり、埋め込みパッド５３を体型状凹部５０に挿入してマッサージをすることができるものである。
【００４３】
つぎに、前記エアー給排気装置２０について説明する。
【００４４】
このエアー給排気装置２０は、図５に示すように電磁式ポンプ等からなるエアー生成手段３０、このエアー生成手段３０にホース３１を介して接続されたロータリー弁等からなるエアー分配器３２、ホース３１から分岐したホース３５、このホース３５からさらに分岐されたホース３５ａないし３５ｄを介して接続された電磁弁３６ａないし３６ｄ、エアー生成手段３０、エアー分配器３２および電磁弁３６ａないし３６ｄを制御するマイクロコンピュータからなる制御手段３３等から構成されている。
【００４５】
そして、前記第一のエアー分配器３２は図示しないが８個の供給口と１個の排気口が設けられており、前記８個の供給口のそれぞれにはエアーホース１１ａないし１８ａの一端側が接続されており、このエアーホース１１ａないし１８ａの他端側はそれぞれ前記首用エアーバッグ１１ないし脚用エアーバッグ１８にそれぞれ接続されている。
【００４６】
また、前記電磁弁３６ａないし３６ｄには、エアーホース３８ａないし３８ｄの一端側が接続されており、このエアーホース３８ａないし３８ｄの他端は、前記側面エアーバッグ４０である計４個の肩側面エアーバッグ４１（図では１個で代表させて示した）、計１２個の腕側面エアーバッグ４２（図では１個で代表させて示した）、計６個の胴側面エアーバッグ４３（図では１個で代表させて示した）、計１２個の下肢側面エアーバッグ４４（図では１個で代表させて示した）に接続されている。
【００４７】
なお、前記電磁弁３６ａないし３６ｄは、これら電磁弁３６ａないし３６ｄに代えてロータリー弁等からなるエアー分配器としてもよいものである。
【００４８】
そして、前記リモコン装置７から所定のマッサージモードが設定されると、制御手段３３は、前記設定されたマッサージモードによって定められた順序にしたがって、前記首用エアーバッグ１１ないし脚用エアーバッグ１８および肩側面エアーバッグ４１、腕側面エアーバッグ４２、胴側面エアーバッグ４３、下肢側面エアーバッグ４４にエアーの給排気をするように、エアー生成手段３０、エアー分配器３２、および電磁弁３６ａないし３６ｄを制御するものである。
【００４９】
そして、前記マッサージモードには、前記背面エアーバッグ１９のみを動作させる第一のマッサージモード、前記側面エアーバッグのみを動作させる第二のマッサージモードおよび第一のマッサージモードと第二のマッサージモードとを組み合わせた第三のマッサージモードとがある。そして、第一のマッサージモードには、首用エアーバッグ１１ないし脚用エアーバッグ１８を所定の順序で膨縮させて全身をマッサージする全身マッサージモード、首用エアーバッグ１１ないし腰エアーバッグ１５を順次膨縮させる上半身マッサージモード、尻用エアーバッグ１６ないし脚用エアーバッグ１８を順次膨縮させる下半身マッサージモード、首用エアーバッグ１１ないし脚用エアーバッグ１８をそれぞれ単独で膨縮させる部分マッサージモードがある。
【００５０】
また、第二のマッサージモードには、肩側面エアーバッグ４１ないし下肢側面エアーバッグ４４を同時に膨縮させる全側部マッサージモード、肩側面エアーバッグ４１、腕側面エアーバッグ４２、胴側面エアーバッグ４３を単独で膨縮させる部分側部マッサージモードがある。
【００５１】
そして、第三のマッサージモードでは、前記第一のマッサージモードの各マッサージモードと第二のマッサージモードの各モードを組み合わせの数だけのマッサージモードができる。この実施の形態で特徴のあるマッサージモードは、側面エアーバッグを（肩側面エアーバッグ４１ないし下肢側面エアーバッグ４４を）膨脹させ、この膨脹の維持状態で背面エアーバッグ１９を膨脹させるモード（強押圧モードという）である。なお、この強押圧モードには、第一のマッサージモードの各マッサージモードと第二のマッサージモードの各マッサージモードに組み合わせたモードである。
【００５２】
また、前記第三のマッサージモードには、前記第一のマッサージモードの各マッサージモードと第二のマッサージモードの各モードを組み合わせ、背面エアーバッグ１９の膨縮と側面エアーバッグ４０の膨縮とをとくに特定しない通常マッサージモードが含まれている。
【００５３】
つぎに、上記マッサージ機Ａの動作について説明する。
【００５４】
使用者は、第一のマッサージモードによりマッサージをしようとするときは、マット部１の体形状凹部５０に埋め込みパッド５３を挿入しマット部１の上面つまり身体支持面に身体を横たえた後、前記リモコン装置７から所望のマッサージモードを設定し、また、第二のマッサージモードおよび第三のマッサージモードをするときは、前記体形状凹部５０から埋め込みパッド５３を取り外し、この体型状凹部５０内に仰向け状態で身体を横たえた後、前記リモコン装置７から所望のマッサージモードを設定し、図示しないスタートスイッチを操作する。
【００５５】
このスタートスイッチの操作により制御手段３３は前記設定されたマッサージモードによって定められた順序にしたがって、エアー生成手段３０およびエアー分配器３２、電磁弁３６ａないし３６ｄを制御し前記首用エアーバッグ１１ないし脚用エアーバッグ１８および肩側面エアーバッグ４１ないし下肢側面エアーバッグ４４にエアーを給排気する。
【００５６】
この給排気に伴って前記各エアーバッグが膨縮し被施療部はマッサージされるものである。
【００５７】
そして今、第一のマッサージモードによりマッサージをしようとする場合は、マット部１の体型状凹部５０に埋め込みパッド５３を挿入し、マット部１の上面に身体を横たえ、第二のマッサージモードの中から所望のマッサージモードをリモコン装置７から設定する。
【００５８】
例えば、今第一のマッサージモードの中の、全身マッサージモードが設定されたすると、制御手段３３はこの設定された全身マッサージモードによって定められた順序にしたがって、エアー生成手段３０およびエアー分配器３２を制御し前記首用エアーバッグ１１ないし脚用エアーバッグ１８に順次エアーの給排気をし、被施療部は膨縮する各エアーバッグによって押圧・弛緩されてマッサージがなされる。
【００５９】
このことは第一のマッサージモードの中の上半身マッサージモード、部分マッサージモード等他のマッサージモードが設定された場合も同様に、設定された各マッサージモードによって定められた順序にしたがって各エアーバッグにエアーの給排気がなされるものである。
【００６０】
つぎに、第二のマッサージモードによりマッサージをしようとする場合は、マット部１の体型状凹部５０から埋め込みパッド５３を取り外し、前述したようにこの体型状凹部５０内に仰向け状態で身体を横たえ、第二のマッサージモードをリモコン装置７から設定する。
【００６１】
そして、今使用者が第二のマッサージモードの中から、全側部マッサージモードを設定したとすると、制御手段３３は前記設定した全側部マッサージモードによって定められた順序、つまり肩側面エアーバッグ４１ないし下肢側面エアーバッグ４４を同時に膨縮させるように、エアー生成手段３０および電磁弁３６ａないし３６ｄを制御し、前記肩側面エアーバッグ４１ないし下肢側面エアーバッグ４４にエアーの給排気をして膨縮させる。この肩側面エアーバッグ４１ないし下肢側面エアーバッグ４４の膨縮によって身体の側面部つまり被施療部のマッサージがなされるものである。
【００６２】
このことは部分側部マッサージモードが設定された時も、設定された部分側部マッサージモードが例えば下肢部であるときは、制御手段３３はエアー生成手段３０および電磁弁３６ｄを制御し下肢側面エアーバッグ４４にエアーを給排気して膨縮させ、前記下肢部を側面から押圧・弛緩をしてマッサージをするものである。
【００６３】
このように第二のマッサージモードでは、身体を互いに対向する側部から押圧することにより効果的なマッサージ効果が得られるものである。
【００６４】
つぎに、第三のマッサージモードの中の強押圧モードによりマッサージをしようとする場合は、第二のマッサージモードの場合と同様に、マット部１の体型状凹部５０から埋め込みパッド５３を取り外し、前述したようにこの体型状凹部５０内に仰向け状態で身体を横たえ、第三のマッサージモードの中の強押圧モードをリモコン装置７から設定する。
【００６５】
そして、今第三のマッサージモードの中から、第一のマッサージモードの中の全身マッサージモードと第二のマッサージモードの中の全側部マッサージモードの組み合わされた強押圧モードが設定されたとする。すると制御手段３３は、前記設定した全側部マッサージモードにしたがって、エアー生成手段３０および電磁弁３６ａないし３６ｄを開くように制御し、肩側面エアーバッグ４１ないし下肢側面エアーバッグ４４に同時にエアーを供給し肩側面エアーバッグ４１ないし下肢側面エアーバッグ４４を膨脹させる。
【００６６】
そして肩側面エアーバッグ４１ないし下肢側面エアーバッグ４４が所定つまり略最大膨脹状態（この最大膨脹状態になったことはあらかじめ最大膨脹状態になった時の圧力をメモリー手段に設定しておき、図示しない圧力センサーによりエアーバッグの圧力を検出して前記メモリー手段に記憶された値と比較することによりなすようになっている）となったとき電磁弁３６ａないし３６ｄを閉じるように制御してこの膨脹状態を維持させる。このことによって使用者の身体の側面部を押圧された状態に保持される。
【００６７】
ついで制御手段３３は、エアー生成手段３０およびエアー分配器３２を制御し、前記全身マッサージモードによって定められた順序にしたがって首用エアーバッグ１１ないし脚用エアーバッグ１８にエアーを給排気して膨縮させる。
【００６８】
そして、首用エアーバッグ１１ないし脚用エアーバッグ１８へのエアーの給排気が所定サイクル（このサイクルは任意に設定することができる）終了すると、制御手段３３は前記電磁弁３６ａないし３６ｄを開くように制御して、肩側面エアーバッグ４１ないし下肢側面エアーバッグ４４のエアーを排気して収縮させる。そして、この動作が所定の回数繰り返されるつまり設定されたマッサージ時間が経過すると、制御手段３３は前記エアー生成手段３０、エアー分配器３２、電磁弁３６ａないし３６ｄを停止するように制御する。
【００６９】
また、例えば第三のマッサージモードの中から、第一のマッサージモードの中の下半身マッサージモードとこの下半身に対応する下肢部をマッサージする第二のマッサージモードの中の下肢部マッサージモードの組み合わされた強押圧モードが設定された場合は、制御手段３３は、前記設定した下肢部マッサージモードにしたがって、エアー生成手段３０および電磁弁３６ｄを開くように制御し下肢側面エアーバッグ４４に同時にエアーを供給し下肢側面エアーバッグ４４を膨脹させるとともに、略最大膨脹になると電磁弁３６ｄを閉じるように制御してこの膨脹状態を維持させる。このことによって下肢部は側面部を押圧された状態に保持される。
【００７０】
ついで制御手段３３は、エアー生成手段３０およびエアー分配器３２を制御し、前記下半身マッサージモードによって定められた順序にしたがって尻用エアーバッグ１６ないし脚用エアーバッグ１８にエアーを給排気して膨縮させる。
【００７１】
そして、尻用エアーバッグ１６ないし脚用エアーバッグ１８へのエアーの給排気が所定サイクル終了すると、制御手段３３は前記電磁弁３６ｄを開くように制御して、下肢側面エアーバッグ４４のエアーを排気して収縮させる。そしてこの動作が所定回数繰り返される、制御手段３３は前記エアー生成手段３０、エアー分配器３２、電磁弁３６ｄを停止するように制御する。
【００７２】
また、第一のマッサージモードの中の他のマッサージモードと第二のマッサージモードの中の他のマッサージモードを組み合わされた強押圧モードが設定された場合も同様に、側面エアーバッグの膨脹を維持した状態で背面エアーバッグを膨脹させるように制御されるものである。
【００７３】
そして、このように強押圧モードにおいては、側面エアーバッグ４０すなわち肩側面エアーバッグ４１ないし下肢側面エアーバッグ４４にエアーを供給し膨脹させることにより、身体の側面を押圧して上方への移動を押さえた状態で、背面エアーバッグ１９すなわち首用エアーバッグ１１ないし脚用エアーバッグ１８を膨脹させて、身体を押圧することから、下方からの押圧力を高めることができるものである。
【００７４】
つぎに、第三のマッサージモードの中の通常マッサージモードによりマッサージをする場合は、体型状凹部５０内に仰向け状態で身体を横たえ、第三のマッサージモードをリモコン装置７から設定する。
【００７５】
すると、制御手段３３は、前記第三のマッサージモードの設定された通常マッサージモードによって定められた順序にしたがって、背面エアーバッグ１９である首用エアーバッグ１１ないし脚用エアーバッグ１８、および側面エアーバッグ４０である肩側面エアーバッグ４１ないし下肢側面エアーバッグ４４を膨縮させるようにエアーを給排気するようにエアー生成手段３０、エアー分配器３２および電磁弁３６ａないし３６ｄを制御する。そして、首用エアーバッグ１１ないし脚用エアーバッグ１８の膨縮によって首部ないし脚部のマッサージが、また肩側面エアーバッグ４１ないし下肢側面エアーバッグ４４の膨縮によって身体の側面部のマッサージがされるものである。
【００７６】
このようにマット部１に体型状凹部５０を設けこの体型状凹部５０の底部つまり底部５１および側壁部５２にそれぞれ背面エアーバッグ１９すなわち首用エアーバッグ１１ないし脚用エアーバッグ１８および側面エアーバッグ４０すなわち肩側面エアーバッグ４１ないし下肢側面エアーバッグ４４を配設し、これら背面エアーバッグ１９および側面エアーバッグ４０にエアーを給排気して膨縮させて被施療部のマッサージをするようにしたことから、身体を下方および側面から押圧してマッサージできることから効果的なマッサージができるものである。
【００７７】
また、制御手段３３の制御により、側面エアーバッグ４０にエアーを供給し膨脹させた状態において背面エアーバッグ１９にエアーを供給するようにした強押圧モードにおいては、側面エアーバッグ４０により身体の側面を押圧して上方への移動を押さえた状態で、背面エアーバッグ１９によって身体を押圧することから、下方からの押圧力を高めることができるためマッサージ効果を高めることができるものである。
【００７８】
また、マット部１に形成した体型状凹部５０内を充満させる挿脱可能な埋め込みパッド５３を設け、この埋め込みパッド５３を体型状凹部５０内に挿入することにより、マット部１の身体支持面を略平坦面とすることができる。このため、身体の背面側のみのマッサージをするときは、マット部１の上面に身体を横たえて、背面つまり首部ないし脚部のマッサージができるとともに、マッサージをしないときは普通のマットとしても機能させることができるものである。
【００７９】
なお、上記実施の形態においては、肩側面にはそれぞれ２個、腕側面にはそれぞれ６個、同側面にはそれぞれ６個、また、下肢部にはそれぞれ６個のエアーバッグを配設する構成としたが、これ任意の数とすることできるものである。
【００８０】
また、上記実施の形態においては、エアー給排気装置２０をマット部２内に配設する構成としてので、エアー給排気装置２０から生じる騒音を遮音できるという利点がある。
【００８１】
また、上記実施の形態においては、体型状凹部５０の側壁面５２を垂直に形成する構成としたが、これは上面側から下方に向かうに連れて拡開する傾斜面としてもよく、このようにしたときは側面エアーバッグ４０が膨脹した際に身体の上方への移動をより確実にできるという利点がある。
【００８２】
【発明の効果】
上記のように構成した請求項１記載の発明は、身体を側面から押圧することができ、したがって、効果的なマッサージができるという効果を有するものである。
【００８３】
また、請求項２記載の発明は、請求項１記載の発明の効果に加えて、側面エアーバッグにより身体の側面を押圧して上方への移動を押さえた状態で背面エアーバッグによって身体を押圧することから下方からの押圧力を高めることができるという効果を有するものである。
【００８４】
また、請求項３記載の発明は、請求項１または請求項２記載の発明の効果に加えて、体型状凹部内に埋め込みパッドを挿入した状態では身体支持面を略平坦面とすることができるとともに、背面エアーバッグを膨脹させることにより背面側のみのマッサージをすることができ、また、マッサージ機として使用しない場合は通常のマットとして機能させることができるという効果を有するものである。
【図面の簡単な説明】
【図１】本発明の実施の形態のエアーマッサージ機の斜視図。
【図２】上記実施の形態のエアーマッサージ機の身体支持体内にエアー給排気装置が配置された状態を示す断面図（図１のＸ−Ｘ線での断面図）。
【図３】上記実施の形態のエアーマッサージ機の身体支持体内にエアー給排気装置が配置された状態を示す断面図（図１のＹ−Ｙ線での断面図）。
【図４】上記実施の形態のエアーマッサージ機の背面エアーバッグおよび側面エアーバッグの配置を示す断面図（図１のＺ−Ｚ線での断面図）。
【図５】上記実施の形態のエアーマッサージ機の制御ブロック図。
【図６】上記実施の形態のエアーマッサージ機の埋め込みパッドの斜視図。
【図７】従来のエアーマッサージ機の斜視図。
【符号の説明】
Ａ              マッサージ機（エアーマッサージ機）
１              マット部（身体支持体）
１１            首用エアーバッグ（背面エアーバッグの一部）
１２            肩用エアーバッグ（背面エアーバッグ一部）
１３〜１４      背中用エアーバッグ（背面エアーバッグ一部）
１５            腰用エアーバッグ（背面エアーバッグ一部）
１６            尻用エアーバッグ（背面エアーバッグ一部）
１７            腿用エアーバッグ（背面エアーバッグ一部）
１８            脚用エアーバッグ（背面エアーバッグ一部）
１９            背面エアーバッグ
２０            エアー給排気装置
３０            エアー生成手段（エアー給排気装置の一部）
３２            エアー分配器（エアー給排気装置の一部）
３３            制御手段（エアー給排気装置の一部）
３６ａ〜３６ｄ  電磁弁（エアー給排気装置の一部）
５０          体型状凹部
５１          底壁（体型状凹部の底部）
５２          体型状凹部の側面
５３          埋め込みパッド
Ｓ            空間部
【図１】
0003618547.tif 000002
【図２】
0003618547.tif 000003
【図３】
0003618547.tif 000004
【図４】
0003618547.tif 000005
【図５】
0003618547.tif 000006
【図６】
0003618547.tif 000007
【図７】
0003618547.tif 000008